(57)【要約】【課題】  利便性と安全性が高く、システムの構築とメンテナンスに多額の費用を要しないロッカー管理システムを提供すること。【解決手段】  利用者がタグリーダ機能付き携帯電話機３０を報知機能付き非接触ＩＣタグにかざすと、タグリーダ機能付き携帯電話機３０はロッカー番号を読み取って記憶する。一方、報知機能付き非接触ＩＣタグ４はタグリーダ機能付き携帯電話機３０の識別情報を記憶すると共にロック機構部を駆動してロッカーを施錠させる。その後に、利用者がタグリーダ機能付き携帯電話機３０を非接触ＩＣタグ４にかざすと、報知機能付き非接触ＩＣタグ４は、読み取ったタグリーダ機能付き携帯電話機３０のＵＩＤから正当な利用者であると認識し、且つ読み取ったロッカー番号が自分のロッカー番号と一致したと判断したときは、ロッカー場所を報知し、更にロッカーを解錠可能な状態にする【選択図】  図1
2006125054.tif 000002
【特許請求の範囲】
【請求項１】
複数の電子ロック付きロッカーからなる収納室に適用され、各ロッカーの正当な利用者のみが施錠と解錠を可能とするロッカー管理システムにおいて、ロッカー番号を記憶した記憶部と施錠指令信号又は解錠指令信号を発生する制御部を備えた非接触ＩＣタグであって、前記複数の電子ロック付きロッカーにそれぞれ配置された非接触ＩＣタグと、正当な利用者を示す情報を前記非接触ＩＣタグに与えるタグリーダ機能付き携帯電話機とで構成されたロッカー管理システム。
【請求項２】
複数の電子ロック付きロッカーからなる収納室に適用され、各ロッカーの正当な利用者のみが施錠と解錠を可能とするロッカー管理システムにおいて、ロッカー番号を記憶した記憶部と施錠指令信号又は解錠指令信号を発生する制御部を備えた非接触ＩＣタグであって、前記複数の電子ロック付きロッカーにそれぞれ配置された非接触ＩＣタグと、正当な利用者を示す情報を前記非接触ＩＣタグに与えるタグリーダ機能付き携帯電話機と、及び、利用料金支払済を示す情報を前記非接触ＩＣタグに与える利用料金徴収装置とで構成されたロッカー管理システム。
【請求項３】
前記利用料金徴収装置は電子ロック付きロッカー毎に備えられているものであることを特徴とする請求項２のロッカー管理システム。
【請求項４】
前記利用料金徴収装置は複数の電子ロック付きロッカーに１台ずつ備えられているものであることを特徴とする請求項２のロッカー管理システム。
【請求項５】
前記利用料金徴収装置は、前記タグリーダ機能付き携帯電話機と通信網を介して接続された課金処理サーバーを含むものであることを特徴とする請求項２のロッカー管理システム。
【請求項６】
前記非接触ＩＣタグは報知機能付き非接触ＩＣタグであり、前記タグリーダ機能付き携帯電話機との間に通信が可能になったときに所定の報知を行わせるものであることを特徴とする請求項１又は２のロッカー管理システム。
【発明の詳細な説明】
【技術分野】
【０００１】
本発明は、電子ロックを備えた多数のロッカーを有する収納設備などに適用されるロッカー管理システムに関する。
【背景技術】
【０００２】
特開２００３−３４６２４１号公報（特許文献１）には、スポーツクラブ等の施設におけるロッカーの利用を管理するために用いられるロッカー管理システムであって、非接触ＩＣタグを用いてロッカーの利用を管理するロッカー管理システムが開示されている。利用者は施設に入場する際に、非接触ＩＣタグを貸与される。各ロッカーには、ロッカー制御装置がそれぞれ取り付けられている。ロッカー制御装置は、テンキーの如き暗証番号入力部と、非接触ＩＣタグとの間でデータの授受を行う無線送受信部と、ロッカー機構を操作するロッカー操作部と、これらを制御する制御部とを具備している。前記非接触ＩＣタグは、それぞれの識別情報（ＵＩＤ）を記憶した記憶部を有する。
【０００３】
ロッカーのロック操作は、次のようにして行われる。利用者はロッカーを選択し、入力装置を操作して暗証番号を入力する。すると、ロッカー制御装置は暗証番号を記憶する。次に、利用者は非接触ＩＣタグをロッカー制御装置にかざす。すると、ロッカー制御装置は非接触ＩＣタグのＵＩＤを読み取って登録し、続いてロッカー番号と暗証番号を利用者の非接触ＩＣタグに書き込む。その後に利用者がロッカーのつまみを回転させると、ロッカー制御装置はロッカーをロックさせる。
【０００４】
ロッカーのアンロック操作は、次のようにして行われる。利用者は入力装置を操作して暗証番号を入力する。すると、ロッカー制御装置は暗証番号を記憶する。次に、利用者は非接触ＩＣタグをロッカー制御装置にかざす。すると、ロッカー制御装置は非接触ＩＣタグのＵＩＤを読み取って、認証を行う。読み取ったＵＩＤが登録されているものと同一であれば、ロッカー制御装置はロッカーをロックさせ、登録しているＵＩＤと暗証番号を消去する。続いて、ロッカー制御装置は非接触ＩＣタグに記憶されているロッカー番号と暗証番号を消去させる。
【０００５】
上述した従来のロッカー管理システムは、非接触ＩＣタグに割り当てられている識別番号（ＵＩＤ）と、利用者が入力した暗証番号とを利用してロッカーのロックとアンロックを行うものであるから、暗証番号のみの場合に比較して、ロッカーのセキュリティは確実に高まっている。しかしながら、非接触ＩＣタグは特定の施設側から貸与されるものであるために他の施設では使えず、汎用性に乏しいという問題がある。更に、上述した従来のロッカー管理システムにおいては、数１０乃至数１００個もの多数のロッカーの中から利用中のロッカーを利用者が迅速に見つけ出すことはできないという問題もある。
【０００６】
【特許文献１】特開２００３−３４６２４１号公報
【発明の開示】
【発明が解決しようとする課題】
【０００７】
本発明が解決しようとする課題は、電子ロックを備えた多数のロッカーを有する収納設備などに適用されるロッカー管理システムであって、利便性と安全性が高く、且つ、システムの構築とメンテナンスに多額の費用を要しないロッカー管理システムを提供することである。
【課題を解決するための手段】
【０００８】
上記課題を解決するために、複数の電子ロック付きロッカーからなる収納室に適用され、各ロッカーの正当な利用者のみが施錠と解錠を可能とするロッカー管理システムにおいて、ロッカー番号を記憶した記憶部と施錠指令信号又は解錠指令信号を発生する制御部を備えた非接触ＩＣタグであって、前記複数の電子ロック付きロッカーにそれぞれ配置された非接触ＩＣタグと、正当な利用者を示す情報を前記非接触ＩＣタグに与えるタグリーダ機能付き携帯電話機とでロッカー管理システムを構成した。そして、前記非接触ＩＣタグとしては報知機能付き非接触ＩＣタグを採用し、前記タグリーダ機能付き携帯電話機との間に通信が可能になったときに所定の報知を行わせるようにした。
【発明の効果】
【０００９】
本発明により、電子ロック機構を備えた多数のロッカーの中から、利用者は利用中のロッカーを迅速に探し出すことが可能になったので、利便性が高まった。また、本発明により、非利用者によるロッカーの解錠を不可能にしたので、安全性が高まった。更に、本発明により、料金未納の利用者によるロッカーの解錠を不可能にしたので、ロッカーの不正使用を防止できるようになった。更にまた、非接触ＩＣタグと携帯電話機を利用して構成したので、システムの構築とメンテナンスに多額のコストを要しない汎用性の高いロッカー管理システムが実現できた。
【発明を実施するための最良の形態】
【００１０】
本発明に係るロッカー管理システムは、複数の電子ロック付きロッカーからなる収納室に適用され、各ロッカーの正当な利用中のみが施錠と解錠を可能とするロッカー管理システムにおいて、ロッカー番号を記憶した記憶部と施錠指令信号又は解錠指令信号を発生する制御部を備えた非接触ＩＣタグであって、前記複数の電子ロック付きロッカーにそれぞれ配置された非接触ＩＣタグと、正当な利用者を示す情報を前記非接触ＩＣタグに与えるタグリーダ機能付き携帯電話機とで構成されている。
【００１１】
ロッカーを施錠したい利用者が前記タグリーダ機能付き携帯電話機を前記非接触ＩＣタグにかざすと、前記タグリーダ機能付き携帯電話機は前記ロッカー番号を読み取って記憶する。一方、前記非接触ＩＣタグは前記タグリーダ機能付き携帯電話機の識別情報を記憶すると共に前記電子ロック付きロッカーに施錠指令信号を送りロッカーを施錠可能状態にさせる。
【００１２】
ロッカーを解錠したい利用者が前記タグリーダ機能付き携帯電話機を前記非接触ＩＣタグにかざすと、前記非接触ＩＣタグは前記タグリーダ機能付き携帯電話機の識別情報を読み取って正当な利用者であると認識したときはＬＥＤ２４を発光させてロッカーの所在を利用者に報知し、且つ、前記電子ロック付きロッカーに解錠指令信号を送りロッカーを解錠可能状態させる。
【実施例１】
【００１３】
本発明の実施例１のロッカー管理システムは、図１のシステム概念図に示す如く、複数のロッカー３ａ〜３ｎが配置された収納庫１に適用されている。ロッカー３ａ〜３ｎの扉には複数の報知機能付き非接触ＩＣタグ４ａ〜４ｎがそれぞれ取り付けられている。利用者は、タグリーダ機能付き携帯電話機３０によって、報知機能付き非接触ＩＣタグ４ａ〜４ｎとＲＦＩＤ通信を行う。
【００１４】
報知機能付き非接触ＩＣタグ４ａ〜４ｎは、図２のロッカー管理システム構成図に示す如く、ロッカー制御装置２０ａ〜２０ｎの一部をそれぞれ構成するものである。ロッカー制御装置２０ａ〜２０ｎは、更に、ロック機構部５ａ〜５ｎと電源部６ａ〜６ｎをそれぞれ有する。
【００１５】
ロッカー制御装置２０（ロッカー制御装置２０ａ〜２０ｎの総称）は、図５に示す如く、制御部２１、記憶部２２、駆動部２３、ＬＥＤ２４、ＲＦＩＤアンテナ部２５、ＲＦＩＤ変復調部２６、システムＩＦ２７、ロック機構部５（ロック機構部５ａ〜５ｎの総称）、及び、電源部６（電源部６ａ〜６ｎの総称）とで構成されている。換言すれば、ロッカー制御装置２０は、報知機能付き非接触ＩＣタグ４（報知機能付き非接触ＩＣタグ４ａ〜４ｎの総称）に、システムＩＦ２７、ロック機構部５、及び、電源部６を追加して構成されている。
【００１６】
制御部２１は、ロッカー制御装置２０ａ〜２０ｎのそれぞれの各構成部をプログラムに従って制御するものである。記憶部２２には、制御プログラムとロッカー番号情報が記憶されている。駆動部２３とＬＥＤ２４は、報知部を構成する。駆動部２３は、制御部２１によって制御され、ＬＥＤ２４の点灯や消灯を行う。前記報知部は、報知機能付き非接触ＩＣタグ４とタグリーダ機能付き携帯電話機３０との間に通信が確立したときに作動し、利用者にその旨を報知する。
【００１７】
ＲＦＩＤ変復調部２６は、タグリーダ機能付き携帯電話機３０からＲＦＩＤアンテナ部２５を介して受信した受信信号を復調し、制御部２１に入力する。また、ＲＦＩＤ変復調部２６は、制御部２１の出力信号を変調し、ＲＦＩＤアンテナ部２５を介してタグリーダ機能付き携帯電話機３０に向けて送信する。
【００１８】
次に、タグリーダ機能付き携帯電話機３０は、図６に示す如く、制御部３１、記憶部３２、表示部３３、入力部３４、ＲＦＩＤアンテナ部３５、ＲＦＩＤ変復調部３６、アンテナ部３７、信号処理部３８、及び、電源部３９とで構成されている。
【００１９】
制御部３１は、タグリーダ機能付き携帯電話機３０のそれぞれの各構成部をプログラムに従って制御するものである。記憶部３２には、制御プログラムと各種アプリケーションプログラムが記憶されている。記憶部３２には、非接触ＩＣタグ４から読み取ったロッカー番号情報も記憶される。信号処理部３８は、入力部３４から入力された信号やアンテナ部３７から受信した信号を要求された機能に応じて処理を行う。表示部３３は、スピーカーと液晶表示部である。入力部３４はマイクロホンと１０キーなどの各種入力装置である。アンテナ部３７は電話通信用のアンテナである。これらの制御部３１、記憶部３２、表示部３３、入力部３４、アンテナ部３７、及び、信号処理部３８は、携帯電話機の一般的な構成要素である。
【００２０】
実施例１のロッカー管理システムにおいて、利用者は、利用したいロッカー３の報知機能付き非接触ＩＣタグ４にタグリーダ機能付き携帯電話機３０をかざす。すると、タグリーダ機能付き携帯電話機３０と報知機能付き非接触ＩＣタグ４との間にＲＦＩＤ通信路が確立され、データの授受が行われる。即ち、タグリーダ機能付き携帯電話機３０は報知機能付き非接触ＩＣタグ４が記憶しているロッカー番号情報を読み取り、これを記憶部３２に記憶する。一方、報知機能付き非接触ＩＣタグ４はタグリーダ機能付き携帯電話機３０のＵＩＤを読み取り、記憶部２２に記憶すると共に、施錠指令信号をロック機構部５に与えてロッカーを施錠可能状態にする。この状態でロッカー３の扉を閉め、つまみを回すなどの施錠動作を行うと、ロッカーは施錠される。
【００２１】
ロッカー３を解錠したい利用者は、タグリーダ機能付き携帯電話機３０を利用中のロッカー３の報知機能付き非接触ＩＣタグ４にかざす。すると、タグリーダ機能付き携帯電話機３０と報知機能付き非接触ＩＣタグ４との間にＲＦＩＤ通信路が確立されると、報知機能付き非接触ＩＣタグ４は駆動部２３を制御してＬＥＤ２４を発光させ利用者にその旨を報知し、タグリーダ機能付き携帯電話機３０と報知機能付き非接触ＩＣタグ４との間でデータの授受が行われる。即ち、報知機能付き非接触ＩＣタグ４は、読み取ったタグリーダ機能付き携帯電話機３０のＵＩＤから正当な利用者であると認識し、且つ、読み取ったロッカー番号が自分のロッカー番号と一致したと判断したときは、ロック機構部５に解錠指令信号を送りロッカーを解錠可能な状態にする。この状態で利用者がロッカーのつまみを回すなどの解錠行為を行うとロッカーは解錠され、ロッカー３の扉を開けることができる。
【００２２】
以上、詳細に説明したことから明らかな如く、本発明の実施例１のロッカー管理システムによれば、ロッカーの利用者は報知機能付き非接触ＩＣタグ４の報知機能によって、自分が利用しているロッカーの場所を容易に知ることができる。また、ロッカー番号とタグリーダ機能付き携帯電話機３０の２つの情報の正当性を判断して、ロッカーの解錠を行えるようにしたので、非利用者による不正な解錠が確実に防止でき、本発明の実施例１のロッカー管理システムによりロッカーのセキュリティが高まった。
【実施例２】
【００２３】
本発明の実施例２のロッカー管理システムは、図３のロッカー管理システム構成図に示す如く、実施例１のロッカー管理システムにロッカー利用料金の不払いを防止する手段を加えて構成したものである。実施例２のロッカー管理システムにおいて、報知機能付き非接触ＩＣタグ４ａ〜４ｎは、ロッカー制御装置２０ａ〜２０ｎの一部をそれぞれ構成するものである。ロッカー制御装置２０ａ〜２０ｎは、更に、ロック機構部５ａ〜５ｎと電源部６ａ〜６ｎをそれぞれ有する。
【００２４】
ロッカー制御装置２０（ロッカー制御装置２０ａ〜２０ｎの総称）は、図５に示す如く、制御部２１、記憶部２２、駆動部２３、ＬＥＤ２４、ＲＦＩＤアンテナ部２５、ＲＦＩＤ変復調部２６、システムＩＦ２７、ロック機構部５（ロック機構部５ａ〜５ｎの総称）、及び、電源部６（電源部６ａ〜６ｎの総称）とで構成されている。換言すれば、ロッカー制御装置２０は、報知機能付き非接触ＩＣタグ４（報知機能付き非接触ＩＣタグ４ａ〜４ｎの総称）に、システムＩＦ２７、ロック機構部５、及び、電源部６を追加して構成されている。
【００２５】
前記ロッカー利用料金の不払いを防止する手段は、図3に示す如く、制御部１１、記憶部１２、課金処理部１３、表示部１４、及び、電源部19とで構成された課金処理装置によって実現される。この課金処理装置には、報知機能付き非接触ＩＣタグ４がそれぞれのシステムＩＦ２７を介して接続されている。
【００２６】
実施例2のロッカー管理システムにおいて、利用者は、利用したいロッカー３の報知機能付き非接触ＩＣタグ４にタグリーダ機能付き携帯電話機３０をかざす。すると、タグリーダ機能付き携帯電話機３０と報知機能付き非接触ＩＣタグ４との間にＲＦＩＤ通信路が確立され、データの授受が行われる。即ち、タグリーダ機能付き携帯電話機３０は報知機能付き非接触ＩＣタグ４が記憶しているロッカー番号情報を読み取り、これを記憶部３２に記憶する。一方、報知機能付き非接触ＩＣタグ４はタグリーダ機能付き携帯電話機３０のＵＩＤを読み取り、記憶部２２に記憶すると共に、施錠指令信号をロック機構部５に与えてロッカーを施錠可能状態にする。この状態でロッカー3の扉を閉め、つまみを回すなどの施錠動作を行うと、ロッカーは施錠される。
【００２７】
ロッカー３を解錠したい利用者は、タグリーダ機能付き携帯電話機３０を利用中のロッカー３の報知機能付き非接触ＩＣタグ４にかざす。すると、タグリーダ機能付き携帯電話機３０と報知機能付き非接触ＩＣタグ４との間にＲＦＩＤ通信路が確立されると、報知機能付き非接触ＩＣタグ４は駆動部２３を制御してＬＥＤ２４を発光させ利用者にその旨を報知し、タグリーダ機能付き携帯電話機３０と報知機能付き非接触ＩＣタグ４との間でデータの授受が行われる。即ち、報知機能付き非接触ＩＣタグ４は、読み取ったタグリーダ機能付き携帯電話機３０のＵＩＤから正当な利用者であると認識し、且つ、読み取ったロッカー番号が自分のロッカー番号と一致したと判断し、更に課金処理装置から料金支払済信号が入力されたときは、ロック機構部５に解錠指令信号を送りロッカーを解錠可能な状態にする。この状態で利用者がロッカーのつまみを回すなどの解錠行為を行うとロッカーは解錠され、ロッカー３の扉を開けることができる。
【００２８】
制御部１１、記憶部１２、課金処理部１３、表示部１４、及び、電源部19とで構成されている課金処理装置は、利用時間等に基づいて利用料金を算出し、表示部１４に利用料金を表示する。利用者が課金処理部１３に利用料金を振り込むと、その額が正しいか否か判断する。課金処理が適切に行われると、制御部１１は報知機能付き非接触ＩＣタグ４に利用料金支払済信号を送る。
【００２９】
以上、詳細に説明したことから明らかな如く、本発明の実施例２のロッカー管理システムによれば、ロッカーの利用者は報知機能付き非接触ＩＣタグ４の報知機能によって、自分が利用しているロッカーの場所を容易に知ることができる。また、ロッカー番号とタグリーダ機能付き携帯電話機３０の２つの情報の正当性を判断して、ロッカーの解錠を行えるようにしたので、非利用者による不正な解錠が確実に防止でき、本発明の実施例１のロッカー管理システムよりもロッカーのセキュリティが高まった。更に、課金処理と連動するようにしたので、利用者による不正な解錠を防止できるようになった。
【実施例３】
【００３０】
本発明の実施例３のロッカー管理システムは、図３のロッカー管理システム構成図に示す如く、実施例１のロッカー管理システムにロッカー利用料金の不払いを防止する手段を加えて構成したものである。実施例３のロッカー管理システムにおいて、報知機能付き非接触ＩＣタグ４ａ〜４ｎは、２ロッカー制御装置２０ａ〜２０ｎの一部をそれぞれ構成するものである。ロッカー制御装置２０ａ〜２０ｎは、更に、ロック機構部５ａ〜５ｎと電源部６ａ〜６ｎをそれぞれ有する。
【００３１】
ロッカー制御装置２０（ロッカー制御装置２０ａ〜２０ｎの総称）は、図５に示す如く、制御部２１、記憶部２２、駆動部２３、ＬＥＤ２４、ＲＦＩＤアンテナ部２５、ＲＦＩＤ変復調部２６、システムＩＦ２７、ロック機構部５（ロック機構部５ａ〜５ｎの総称）、及び、電源部６（電源部６ａ〜６ｎの総称）とで構成されている。換言すれば、ロッカー制御装置２０は、報知機能付き非接触ＩＣタグ４（報知機能付き非接触ＩＣタグ４ａ〜４ｎの総称）に、システムＩＦ２７、ロック機構部５、及び、電源部６を追加して構成されている。
【００３２】
前記ロッカー利用料金の不払いを防止する手段は、図４に示す如く、制御部１１、記憶部１２、表示部１４、上位システムＩＦ１５を介して接続された課金処理システム部、及び、電源部１９とで構成された課金処理装置によって実現されている。前記課金処理システム部は、課金処理サーバー４１、通信網４２、ゲートウエイ４３、及び、携帯電話料金ＤＢ４４で構成されている。
【００３３】
実施例３のロッカー管理システムにおいて、利用者は、利用したいロッカー３の報知機能付き非接触ＩＣタグ４にタグリーダ機能付き携帯電話機３０をかざす。すると、タグリーダ機能付き携帯電話機３０は報知機能付き非接触ＩＣタグ４が記憶しているロッカー番号情報を読み取り、これを記憶部３２に記憶する。一方、報知機能付き非接触ＩＣタグ４はタグリーダ機能付き携帯電話機３０のＵＩＤを読み取り、記憶部２２に記憶すると共に、施錠指令信号をロック機構部５に与えてロッカーを施錠可能状態にする。この状態でロッカー３の扉を閉め、つまみを回すなどの施錠動作を行うと、ロッカーは施錠される。
【００３４】
ロッカー３を解錠したい利用者は、タグリーダ機能付き携帯電話機３０を利用中のロッカー３の報知機能付き非接触ＩＣタグ４にかざす。すると、タグリーダ機能付き携帯電話機３０と報知機能付き非接触ＩＣタグ４との間にＲＦＩＤ通信路が確立されると、報知機能付き非接触ＩＣタグ４は駆動部２３を制御してＬＥＤ２４を発光させ利用者にその旨を報知し、タグリーダ機能付き携帯電話機３０と報知機能付き非接触ＩＣタグ４との間でデータの授受が行われる。即ち、報知機能付き非接触ＩＣタグ４は、読み取ったタグリーダ機能付き携帯電話機３０のＵＩＤから正当な利用者であると認識し、且つ、読み取ったロッカー番号が自分のロッカー番号と一致したと判断し、更に課金処理装置から料金支払済信号が入力されたとき、ロック機構部５に解錠指令信号を送りロッカーを解錠可能な状態にする。この状態で利用者がロッカーのつまみを回すなどの解錠行為を行うとロッカーは解錠され、ロッカー３の扉を開けることができる。
【００３５】
実施例３におけるロッカー利用料金の課金処理の流れは、例えば、図７のフローチャートに示す如くである。即ち、ロッカー利用者は、タグリーダ機能付き携帯電話機３０を操作して、報知機能付き非接触ＩＣタグ４に対して課金処理要求コマンドを送出する（１０１）。報知機能付き非接触ＩＣタグ４は、ロッカー利用時間によって決まるアドレスをタグリーダ機能付き携帯電話機３０に返信する（１０２）。利用者は、受信したアドレスへ携帯電話パケット通信機能を使用してアクセスする（１０３）。続いて、利用者は、タグリーダ機能付き携帯電話機３０と課金処理サーバー４１との間で利用者情報の送受信を行う（１０４）。続いて、課金処理サーバー４１は、課金処理を受け持つゲートウエイ４３との間で通信網４２を介して、利用者情報、課金情報、パスワード等の送受信を行う（１０５）。ゲートウエイ４３は携帯電話料金ＤＢ４４と協同して課金処理を行い、課金処理が完了すると、課金処理サーバー４１とタグリーダ機能付き携帯電話機３０に通信網４２を介して課金処理完了情報を送信する（１０６）。すると、課金処理サーバー４１は上位システムＩＦ１５を介して制御部１１に課金処理完了情報を送出し、制御部１１はロッカー制御装置２０を構成する報知機能付き非接触ＩＣタグ４に利用料金支払済信号を送出する（１０７）。なお、図７は携帯電話料金にロッカー利用料金を含ませるという課金処理の流れであるが、銀行等の金融機関のＤＢと接続したロッカー利用料金の課金処理システムも構築できることも可能である。
【００３６】
以上、詳細に説明したことから明らかな如く、本発明の実施例３のロッカー管理システムによれば、ロッカーの利用者は報知機能付き非接触ＩＣタグ４の報知機能によって、自分が利用しているロッカーの場所を容易に知ることができる。また、ロッカー番号とタグリーダ機能付き携帯電話機３０の２つの情報の正当性を判断して、ロッカーの解錠を行えるようにしたので、非利用者による不正な解錠が確実に防止でき、本発明の実施例１のロッカー管理システムよりもロッカーのセキュリティが高まった。更に、携帯電話機を利用した電子的な課金処理システムと連動するようにしたので、ロッカー利用料金支払いの利便性が高まり、同時に利用者による不正な解錠を防止できるようになった。
【００３７】
なお、実施例１から３において、電子ロック付きロッカーは施錠指令信号によって施錠可能状態にされた後に利用者がつまみを操作して施錠し、また、解錠指令信号によって解錠可能状態にされた後に利用者がつまみを操作して解錠するものとしたが、これに限られるものではない。例えば、電子ロック付きロッカーは施錠指令信号によって自動的に施錠し、また解錠指令信号によって自動的に解錠する電子ロック付きロッカーにも適用できる。また、本発明に係るロッカー管理システムは、上位システムと接続することにより、総合的なロッカー管理システムを構築することもできる。更に、ロッカー内に温度センサや振動センサなどの各種のセンサを設置し、これらのセンサ出力を報知機能付き非接触ＩＣタグ４の制御部に入力すれば、ロッカーの異常報知を行わせるシステムを構築することもできる。
【図面の簡単な説明】
【００３８】
【図１】本発明のロッカー管理システムの概念図を示す図である。
【図２】本発明のロッカー管理システムの実施例１のブロック構成図である。
【図３】本発明のロッカー管理システムの実施例２のブロック構成図である。
【図４】本発明のロッカー管理システムの実施例３のブロック構成図である。
【図５】報知機能付き非接触ＩＣタグのブロック構成図である。
【図６】タグリーダ機能付き携帯電話機のブロック構成図である。
【図７】実施例３の課金処理の流れを示すフローチャートである。
【符号の説明】
【００３９】
１  収納庫
３、３ａ、３ｂ、３ｎ  ロッカー
４、４ａ、４ｂ、４ｎ  報知機能付き非接触ＩＣタグ
５、５ａ、５ｂ、５ｎ  ロック機構部
６、６ａ、６ｂ、６ｎ  電源部
１１  制御部
１２  記憶部
１３  課金処理部
１４  表示部
１９  電源部
２０  ２０ａ、２０ｂ、２０ｎ  ロッカー制御装置
２１  制御部
２２  記憶部
２３  駆動部
２４  ＬＥＤ
２５  ＲＦＩＤアンテナ部
２６  ＲＦＩＤ変復調部
２７  システムＩＦ部
３０  タグリーダ機能付き携帯電話機
３１  制御部
３２  記憶部
３４  入力部
３５  ＲＦＩＤアンテナ部
３６  ＲＦＩＤ変復調部
３７  アンテナ部
３８  信号処理部
３９  電源部
４１  課金処理サーバー
４２  通信網
４３  ゲートウエイ
４４  携帯電話料金ＤＢ
【図１】
2006125054.tif 000003
【図２】
2006125054.tif 000004
【図３】
2006125054.tif 000005
【図４】
2006125054.tif 000006
【図５】
2006125054.tif 000007
【図６】
2006125054.tif 000008
【図７】
2006125054.tif 000009